(57)【要約】【課題】積み重ね、及び使い捨て可能な飲料水供給機の給水容器を提供する。【解決手段】内部に水を貯留する空間を形成した六面体形状容器に１頂端を切断した形状の傾斜面１３を形成し、該傾斜面に飲料水供給機の給水口内に挿入する出水管２２を突出して設け、その高さを切断した頂点を含む六面体の空間内に出水管が収まる高さとする。さらに、六面体の各稜及び傾斜面との間の稜を面取りしてその箇所に厚みを有する強化リブ１３１４、１４１６、・・・を設けて補強することにより、その形状を保持すると共にその他の面の材質を薄くして、リサイクルすることなく廃棄可能とする。また、出水管の軸線及び頂点を結ぶ線が容器の重心及び対角の頂点を通過するようにして、設置時の安定、目安とする。【選択図】図１
0003178457.tif 000002
【実用新案登録請求の範囲】
【請求項１】
内部に貯水可能な収容空間（Ｓ）を形成する立体形状を有し、その一部を切断した形状の傾斜切断面（１３）、（１３’）を形成する容器（１０）、（１０’）と、
該傾斜切断面（１３）、（１３’）上に突出して形成し、該収容空間（Ｓ）と連通する出水管（２０）、（２０’）と、
を具える飲料水供給機の給水容器。
【請求項２】
前記容器（１０）、（１０’）の立体形状は多辺形体であり、複数の頂点（１１）、（１１’）、（１２）、（１２’）を有し、且つ前記傾斜切断面（１３）、（１３’）は、そのうち、前記頂点（１１）箇所から切断されて形成されるものである請求項１に記載の飲料水供給機の給水容器。
【請求項３】
前記出水管（２０）、（２０’）が該傾斜切断面（１３）、（１３’）に突出する長さは、該傾斜切断面（１３）、（１３’）から該頂点（１１）までの間の距離より小さい請求項２に記載の飲料水供給機の給水容器。
【請求項４】
前記出水管（２０）、（２０’）が該傾斜切断面（１３）、（１３’）に突出する長さは、該傾斜切断面（１３）、（１３’）から該頂点（１１）までの間の距離に等しい請求項２に記載の飲料水供給機の給水容器。
【請求項５】
前記出水管（２０）、（２０’）の軸線及び該頂点（１１）の接続線が該容器（１０）、（１０’）の重心（Ｇ）を通過する請求項２に記載の飲料水供給機の給水容器。
【請求項６】
前記出水管（２０）、（２０’）の軸線が該容器（１０）、（１０’）の重心（Ｇ）を通過した後、更に、切断した該頂点（１１）の対角をなす１つの頂点（１２）を延伸通過し、該もう１つの頂点（１２）が該容器（１０）、（１０’）を前記飲料水供給機に設置する時、該容器（１０）、（１０’）の最上端に位置する請求項５に記載の飲料水供給機の給水容器。
【請求項７】
前記容器（１０）の多辺形の外表面（１４）、（１５）、（１６）の相互間及び該傾斜切断面（１３）と該外表面（１４）、（１５）、（１６）との間の境界稜線が何れも面取りされてそれぞれ強化リブ（１３１４）、（１３１５）、（１４１５）、（１４１６）、（１５１６）を形成した請求項６に記載の飲料水供給機の給水容器。
【請求項８】
前記容器（１０）の多辺形が六面体である請求項７に記載の飲料水供給機の給水容器。
【請求項９】
前記容器（１０’）が更に複数の外表面（１４’）、（１５’）、（１６’）を有し、該外表面（１４’）、（１５’）、（１６’）の相互間及び該傾斜切断面（１３’）と該外表面（１４’）、（１５’）、（１６’）との間の境界稜線が切断されて長方形切断面（１７’）、（１８’）、（１９’）を形成し、該容器（１０’）の該頂点（１２’）も切断された形状にそれぞれ三角形切断面（ａ’）、（ｂ’）を形成する請求項６に記載の飲料水供給機の給水容器。
【請求項１０】
前記傾斜切断面（１３’）、該外表面（１４’）、（１５’）、（１６’）、該長方形切断面（１７’）、（１８’）、（１９’）及び該三角形切断面（ａ’）、（ｂ’）の隣り合う境界稜線が何れも面取りされてそれぞれ強化リブ（１３１４）、（１３１５）、（１４１５）、（１４１６）、（１５１６）を形成した請求項９に記載の飲料水供給機の給水容器。
【請求項１１】
前記容器（１０’）の多辺形が六方形水晶状である請求項１０に記載の飲料水供給機の給水容器。
【請求項１２】
前記出水管（２０）、（２０’）の該傾斜切断面（１３）、（１３’）から離れた管口がオーバーフロー防止端蓋（２１）、（２１’）で覆われ、該オーバーフロー防止端蓋（２１）、（２１’）の中心に通孔（２１１）、（２１１’）を設け、該通孔（２１１）、（２１１’）内に閉鎖弁（２２）を設けた請求項１に記載の飲料水供給機の給水容器。
【請求項１３】
前記容器（１０）、（１０’）は、薄いプラスチック材料から製造される請求項１２に記載の飲料水供給機の給水容器。
【考案の詳細な説明】
【技術分野】
【０００１】
本考案は、給水容器に関し、特に、飲料水供給機の給水器に関する。
【背景技術】
【０００２】
多くのオフィス等の公共の場所において、しばしば飲料用水供給機及びそれに合わせたタンクを使用し、人々に飲料水を提供している。この種の飲料用水供給機の水タンクは、その形状が通常は、中空円柱状であり、この円柱形の水タンクは、２つの平面及び該２つの平面の周囲に位置する周囲面を有し、そのうち、１つの平面（該平面は、円錐面でもあり得る）は、出水管を凸伸し、飲料用水供給機の上端の入水口内に挿入する。飲料用水供給機の入水口に俗称「スマートシート」と呼ばれるコネクタを設け、スマートシート内にスマートコアを有し、出水管の管口にオーバーフロー防止端蓋を設ける。これにより、円柱形水桶の出水管が飲料用水供給機の入水口内に挿入されると、スマートコアは、出水管内に挿入され、オーバーフロー端蓋の閉鎖弁を水タンク内に挿入し、水タンク内の水を円滑に飲料用水供給機の内部に流入させる。使用者は、ただ飲料用水機の蛇口をひねるだけで飲料用濾過水を得ることができる。
【０００３】
しかしながら、この種の従来の円柱形水タンクは、実際の運用において、多くの問題点を有する。第１に、円柱形水タンクは、その形状、構造により、梱包及び運送が容易でなく、且つ空間の使用効率が比較的低い。更に明確に言えば、円柱形水タンクのそのうち１つの平面が出水管を凸出し、出水管の長さは、一定の長さを有するよう設計して初めてスマートコアの動作の長さに合わせることができ、水タンク内に残る水量を最小に減らすことができる。このように、１つの長い頸を有する円柱形水タンクとなる。また、水タンクの周囲面は、弧形曲面であって、積み重ねることが容易な平面でなく、また、縦向きに積み重ねるには、長さのある出水管が円柱形水タンクを重ねることを阻害するだけでなく、弧形の周囲面も円柱形水タンクを詰めて配置するのに不利である。従って、実際上、別途円柱形ソケットプレートの補助を必要とし、このソケットプレートの高さは、出水管をその中に挿入させることができる、これにより、円柱形水タンクをソケットプレートの底面に垂直に堆積するよう運用することができる。但し、ソケットプレートの設置により、より多くの空間を占拠し、水タンクの梱包及び運送時の空間使用効率を低減するだけでなく、水タンクの保存及び運送のコストを増加させる。
【０００４】
第２に、使用者が円柱形水タンクの出水管を飲料水供給機の入水口内に挿入する時、円柱形水タンクの上向きの面が円形平面であり、使用者に正確な位置にセットするような目安となる指標も有さないので、使用者がただ経験に頼って探り当てることしかできず、出水管と相反する箇所に指標を設置し、使用者に水タンクの出水管を正確に飲料水供給機の入水口上に安置させるよう誘導すれば、使用上の利便を増加できる。
【０００５】
第３に、従来の円柱形水タンクの供給業者は、空タンクを定期的に回収してリサイクルする必要があり、その内外部を洗浄消毒した後、清潔な濾過水を充填し、最後に該出水口を密閉し、初めて重複使用することができる。しかしながら、消費者にとって、タンクに水を充填する供給業者が確実に水タンクを洗浄しているかを知ることができず、円柱形水タンクが使い捨て式に設計し、リサイクルを回避することができれば、消費者の使用時の信頼度を増加させることができる。
【０００６】
従って、上記問題点を如何に解決するかは、本考案者の改良の目標となっている。
【先行技術文献】
【特許文献】
【０００７】
【特許文献１】特開２０１０−２２３５０３号公報
【考案の概要】
【考案が解決しようとする課題】
【０００８】
本考案の目的は、外形構造が積み重ねることに有利であり、且つ梱包又は運送時の空間を効率的に運用することができる飲料水供給機の給水容器を提供することである。
【課題を解決するための手段】
【０００９】
上記の目的を達成する為、本考案が提供する飲料水供給機の給水容器は、
内部に貯水可能な収容空間を有し、外形に傾斜切断面を形成する容器と、
該傾斜切断面上に凸伸し、該収容空間と相通する出水管と、
を具える。
【００１０】
本考案の他の特徴に基づき、該出水管の軸線及び該頂点の接続線が該容器の重心を通る。
【００１１】
本考案の他の特徴に基づき、容器が複数の外表面を有し、隣り合う２つの外表面の間の稜線が強化リブに形成される。
【考案の効果】
【００１２】
従来技術に比較し、本考案は、以下の効果を有する：
本考案に基づき、容器は、多辺形体であって、この多辺形体は、その１つの頂点箇所が切断され、傾斜切断面を形成し、該出水管の該傾斜切断面に凸出する長さが該傾斜切断面から該頂点までの間の距離以下である。該出水管の長さが傾斜切断面と頂点の間の距離以下であるので、出水管は、容器内に内縮し、該頂点に近隣することがわかる。従って、梱包又は運送時、傾斜切断面以外に、容器のその他の外表面が何れも堆積接触する表面としても用いることができ、垂直堆積又は側方配列安置のいずれにも便利である。また、隣り合う２つの容器の間に出水管の凸出により互いに障害となることがないので、空間使用率を大幅に増加し、梱包又は運送時のコストを低減する。
【００１３】
また、出水管の軸線及び該頂点の接続線が容器の重心を通ることによって、想像できるとおり、容器が飲料水供給機上に安置され、且つ出水管が入水口に挿入される時、出水管及び該頂点の接続線が容器の重心を通過する以外に、切断した該頂点と対角配置を呈するもう１つの頂点を必然的に通過し、このもう１つの頂点が使用者に給水容器を飲料水供給機上に安置させる誘導指標とすることができる。更に明確に述べれば、使用者は、ただ出水管を下向きにし、容器を上に向けた該もう１つの頂点を入水口の中心と大体揃えるだけで、出水管を入水口内に正確に挿入させることができる。
【００１４】
また、本考案のもう１つの特徴に基づき、容器は、複数の外表面を有し、隣り合う２つの外表面の稜線が強化リブに形成される。容器が薄いプラスチック材質から製造される時、隣り合う２つの外表面の間の稜線が何れも強化リブに形成されるので、これら強化リブは、容器の強度を増強することができ、容器の立体形状を維持し、これにより使い捨ての給水容器となり、リサイクルを回避することができ、このように、使用者が供給容器のリサイクル清潔程度を心配する必要がなく、製造業者も薄いプラスチック材料を利用し給水容器を製造することにより、材料及び製造コストを大幅に減縮し、リサイクル洗浄消毒の費用を節減することができる。従って、本考案の特殊構造設計は、消費者及び製造業者に対し、極めて良好な利便性及び実用性を有する。
【図面の簡単な説明】
【００１５】
【図１】本考案の斜視図である。
【図２】本考案の平面図である。
【図３】図２の直線３−３に沿った断面図である。
【図４】本考案の他の立体図である。
【図５】本考案の第２実施例の斜視図である。
【図６】図５の平面図である。
【図７】図６の直線７−７に沿った断面図である。
【図８】本考案の第２実施例の他の斜視図である。
【図９】本考案の第２実施例の操作説明分解図である。
【図１０】本考案の第２実施例の操作説明組み合わせ図である。
【図１１】本考案の第２実施例の操作説明断面図である。
【考案を実施するための形態】
【００１６】
本考案の詳細な説明及び技術内容に関し、図面を参照して以下に説明を行うが、図面は、参考及び説明用に提供するだけであり、本考案に制限を加えることに用いるのではない。
【００１７】
図１〜図４を参照する。図は本考案の第１実施例を表示し、飲料水供給機の給水容器１（以下に「給水容器１」という。）であって、図９に示すように、飲料水供給機１００の上端に入水口１１０を設け、入水口１１０の周囲に載置台１２０を設け、給水容器１は、該入水口１１０上に設置する。本考案の給水容器１は、容器１０及び出水管２０を具える。
【００１８】
図３の断面図に示すように、容器１０は、多辺形体である。その内部に貯水可能な収容空間Ｓを有する。図４に示すように、容器１０は略六面体の１頂点を切断した傾斜切断面１３を具えた外形を有する。
六面体として８つの頂点１１及び１２を有し（図４は、７個のみ頂点を表示）、容器１０は、そのうち１つの頂点１１箇所（図４の左上隅）において切断され、傾斜切断面１３を形成する。
【００１９】
出水管２０は、該傾斜切断面１３上に突出して形成され、収容空間Ｓと連通し、図４から分かるように、出水管２０の傾斜切断面１３に凸出する長さが傾斜切断面１３と頂点１１の間の距離以下であり、出水管２０をこの頂点１１及び傾斜切断面１３の間の空間内に収まるようにする。また、図２の直線３−３から分かるように、出水管２０の軸線及び該頂点１１を通る直線が該容器１０の重心Ｇを通過し、さらに、相対する頂点１２（即ち、図４右下隅の該頂点１２）を延長して通過する。
【００２０】
図３の断面図から分かるように、出水管２０が傾斜切断面１３から突出する管口には、オーバーフロー防止端蓋２１を被せ、オーバーフロー防止端蓋２１の中心に通孔２１１を設け、この通孔２１１内に閉鎖弁２２を設け、給水容器１内の水が飲料水供給機１００に入れられる前に出水管２０から漏出することを防止する。
【００２１】
図１に示すように、容器１０は、傾斜切断面１３以外に多くの外表面１４，１５，１６を有し、これら外表面１４，１５，１６の相互の間及び傾斜切断面１３及びこれら外表面１４，１５，１６の間の境界両稜線が何れも面取りされ、これらの箇所に設けられた比較的大きな強度の強化リブ１３１４，１３１５，１４１５，１４１６，１５１６により、容器１０内に水を充填する時に容器１０の立体形状を維持することができる。
これらの構造により、製造業者は薄いプラスチック材料を用いて、給水容器１を製造し、材料及び製造コストを大幅に低減することができ、且つ容器１０が薄いプラスチック材質で製造されることにより、使用者が利用後に容易に押しつぶし、ごみとして回収することができる。
製造業者は、一旦使用した給水容器１をリサイクルすることなく廃棄し、洗浄、消毒し、水を充填した後、再度繰り返し使用する必要がないため、製造業者にとって、リサイクル及び処理の二次費用を節減することができる。消費者にとって、給水容器１がリサイクルされるが、徹底して洗浄、消毒されていない容器であるかを心配する必要がなく、使用者の使用信頼性を向上することができる。
【００２２】
図５〜図８を参照する。第２実施例の給水容器１’を示す。第２実施例及び第１実施例の構造は、略同一であるので、同一な説明を省略する。二者の唯一の差異は、以下にある：第２実施例は、それぞれ隣り合う２つの平面の間の境界稜線を切断した形状に長方形切断面１７’、１８’、１９’を形成し、さらに、各頂点をコーナーカットした形状に三角形の切断面ａ‘,ｂ’を形成して、これら全ての平面の間の境界稜線を面取りした形状に強化リブを形成する（図面にてその符号を省略する）。第２実施例の強化リブの配置、数量は第１実施例よりも大きく、その補強作用による全体の構造強度が第１実施例より大きいため、平面部分をより薄いプラスチック材料から製造してもその立体形状を維持することができる。また、一方で、第２実施例の容器１０’は、より多くの大きさの切断面を有し、その全体の形状を例えば、同一面から構成される方形水晶のように造形し、美観を有すると共に極めて高い実用性を有するものとすることができる。
【００２３】
図９〜図１１を参照して、本考案の操作状態を示す。
容器１０’は、飲料水供給機１００上方に設置され、出水管２０’を下向きに入水口１１０に挿入させると、図９に示すように、出水管２０’の軸線は、容器１０’の重心Ｇを通過すると共に、更に、必然的に切断した該頂点と対角に位置するもう１つの頂点を通過し（この時、該もう１つの頂点は、容器１０’の最上端に位置する）、図９中の頂点は、何れもコーナーカットされて三角形の切断面になっているが、使用者は、このもう１つの頂点がある三角形の切断面を利用して、給水容器１’を飲料水供給機１００上に設置する際の誘導指標とすることができる。
更に、明確に述べれば、使用者は、出水管２０’を下向きにし、容器１０’を上向きにしたもう１つの頂点（又は該もう１つの頂点をコーナーカットした後の三角形の切断面）を飲料水供給機１００の略入水口１１０の中心に揃えるだけで、図１０に示すように、出水管２０’を正確に入水口１１０内に進入させ、傾斜切断面１３’を該載置台１２０に支持させることができる。
【００２４】
図１１に示すように、飲料水供給機１００の入水口１１０は、出水管２０’を挿入させる凹溝（俗称「スマートソケット」）を具え、この凹溝の底部は、上向きに上ロッド１１１（俗称「スマートコア」）を突出し、出水管２０’のオーバーフロー防止端蓋２１’の通孔２１１’内に挿入して、閉鎖弁（図示せず）を開くことに用いる。この上ロッド１１１の周囲面上に２つの貫通孔１１１１を設け、出水管２０’内の水を上ロッド１１１内に流入させ、飲料水供給機１００の内部（図示せず）中に流入させる。
【００２５】
以下に、本考案の給水容器１の空間使用率を計算する。本考案の給水容器１の貯水量が１３リットルであると仮定すれば、容器１０の辺長は、２４ｃｍであり、給水容器１の各表面及び外パッケージケースが何れも１ｃｍの隙間を有するので、その外パッケージケースの寸法が２６ｃｍの正立方体ケースでなければならず、その容積は、２６×２６×２６＝１７５７６ｃｍ３であるので、容積及び外パッケージ寸法の比率が１３０００/１７５７６＝７３．９６％である。
【００２６】
比較の下、従来の円柱形水タンクの状況において、水タンクの貯水量も１３リットルと仮定すれば、円柱形水タンクの直径は、２２ｃｍであり且つ高さが３４ｃｍでなければならないが、出水管の長さが少なくとも８ｃｍであって、且つ円柱形水タンクの各表面及び外パッケージケースが何れも１ｃｍの隙間を有することを考慮するので、外パッケージケースの寸法が辺長２４ｃｍであり且つ高さが３４＋８＋２＝４４ｃｍの長方体ケースであり、その容積が２４×２４×４４＝２５３４４ｃｍ３であるので、容積及び外パッケージ寸法の比率が１３０００/２５３４４＝５１．３％である。
【００２７】
また、従来技術は、円柱形水タンクを長方柱形水タンクに製造するよう変更することもあり、水タンクの貯水量も１３リットルと仮定すれば、長方柱形水タンクの辺長は、２２ｃｍであり且つ高さが２６ｃｍでなければならないが、出水管の長さが少なくとも８ｃｍを有し、且つ円柱形水タンクの各表面及び外パッケージケースが何れも１ｃｍの隙間を有することを考慮するので、外パッケージケースの寸法が辺長２４ｃｍであり且つ高さが２６＋８＋２＝３６ｃｍの長方体ケースであり、その容積が２４×２４×３６＝２０７３６ｃｍ３であるので、容積及び外パッケージ寸法の比率が１３０００/２０７３６＝６２．７％である。
【００２８】
上記数値を挙げた計算結果から分かるように、貯水量が同一な状況において、本考案の立法体状の給水容器１が必要な外パッケージケースの寸法が従来技術中の円柱形水タンク又は長方形水タンクの外パッケージの寸法より小さいので、本考案は、確実に梱包及び運送コストを低減することに有利である。
【００２９】
上記のように、本考案の「飲料水供給機の給水容器」は、産業利用性、新規性、進歩性を有する。
【符号の説明】
【００３０】
１  給水容器
１０，１０’  容器
１１，１１’，１２，１２’  頂点
１３，１３’  傾斜切断面
１４，１４’、１５，１５’，１６，１６’  外表面
１３１４，１３１５，１４１５，１４１６，１５１６  強化リブ
１７’，１８’，１９’  長方形切断面
ａ’，ｂ’  三角形切断面
２０，２０’  出水管
２１，２１’  オーバーフロー防止端蓋
２１１，２１１’  通孔
２２  閉鎖弁
１００  飲料水供給機
１１０  給水口
１１１  上ロッド
１１１１  貫通孔
１２０  載置台
Ｓ  収容空間
Ｇ  重心
【図１】
0003178457.tif 000003
【図２】
0003178457.tif 000004
【図３】
0003178457.tif 000005
【図４】
0003178457.tif 000006
【図５】
0003178457.tif 000007
【図６】
0003178457.tif 000008
【図７】
0003178457.tif 000009
【図８】
0003178457.tif 000010
【図９】
0003178457.tif 000011
【図１０】
0003178457.tif 000012
【図１１】
0003178457.tif 000013